(57)【要約】【課題】扉体が閉状態となっていることが容易に視認することができる取水ゲートを提供する。【解決手段】取水ゲートは、昇降して水路を開閉可能な扉体と、扉体から上方に延びる軸体と、軸体と噛み合い、軸体の中心軸の軸回り方向に回転すると共に当該回転によって軸線方向に直動するハンドルと、ハンドルを回転させて扉体を昇降させる際に、扉体の荷重が軸体を介して印加されるハンドルの下端に当接してハンドルを支持可能な支持部材と、ハンドルから支持部材に向けて下方に延びると共に、扉体が上昇して開いた状態からハンドルを回転させて扉体が下降して閉じた状態になるまでの間は支持部材に当接し、扉体が閉じた状態から更にハンドルを回転させてハンドルの下端が支持部材から離隔した状態では支持部材から上方に離隔している、吊下げ部材と、を備える。【選択図】図２
2020125665.tif 000002
【特許請求の範囲】
【請求項１】
昇降して水路を開閉可能な扉体と、
前記扉体から上方に延び、外周に雄ねじ部が形成された軸体と、
前記軸体の雄ねじ部に噛み合う雌ねじ部が内周側に形成され、前記軸体の中心軸の軸回り方向に回転すると共に当該回転によって前記中心軸の軸線方向に直動するハンドルと、
前記ハンドルを回転させて前記扉体を昇降させる際に、前記扉体の荷重が前記軸体を介して印加される前記ハンドルの下端に当接して当該ハンドルを支持可能な支持部材と、
前記ハンドルに吊り下げられ、前記扉体が上昇して開いた状態から前記ハンドルを回転させて前記扉体が下降して閉じた状態になるまでの間は前記支持部材に当接し、前記扉体が閉じた状態から更に前記ハンドルを回転させて当該ハンドルの下端が前記支持部材から離隔した状態では前記支持部材から上方に離隔している、吊下げ部材と、を備える
取水ゲート。
【請求項２】
前記軸体の外周には、前記扉体の閉状態において少なくとも一部が露出される表示が形成されている
請求項１に記載の取水ゲート。
【請求項３】
前記表示は、塗装部分である
請求項２に記載の取水ゲート。
【請求項４】
前記吊下げ部材は、変形可能である
請求項１〜３のいずれか１項に記載の取水ゲート。
【発明の詳細な説明】
【技術分野】
【０００１】
本発明は、取水ゲートに関する。
【背景技術】
【０００２】
取水ゲートは、スピンドルロッドと、扉体と、ハンドル（昇降機構）と、を備える。スピンドルロッドは、上下方向に延び外周に雄ねじ部が形成される。扉体は、スピンドルロッドの下端に固定される。ハンドルは、スピンドルロッドの雄ねじ部に噛み合う雌ねじ部を有し、回転させることでスピンドルロッドを昇降させる。スピンドルロッドには、刻印が施される。当該刻印により、扉体の上下位置が目視で視認可能である。
【先行技術文献】
【特許文献】
【０００３】
【特許文献１】実開昭58-10928号公報
【発明の概要】
【発明が解決しようとする課題】
【０００４】
特許文献１に記載の取水ゲートでは、スピンドルロッドに刻印を施しているが、当該刻印が外側から視認しにくくなる可能性がある。
【０００５】
本発明は、前記の課題に鑑みてなされたもので、扉体が閉状態となっていることが容易に視認することができる取水ゲートを提供することを目的とする。
【課題を解決するための手段】
【０００６】
本発明に係る取水ゲートは、昇降して水路を開閉可能な扉体と、前記扉体から上方に延び、外周に雄ねじ部が形成された軸体と、前記軸体の雄ねじ部に噛み合う雌ねじ部が内周側に形成され、前記軸体の中心軸の軸回り方向に回転すると共に当該回転によって前記中心軸の軸線方向に直動するハンドルと、前記ハンドルを回転させて前記扉体を昇降させる際に、前記扉体の荷重が前記軸体を介して印加される前記ハンドルの下端に当接して当該ハンドルを支持可能な支持部材と、前記ハンドルから吊り下げられ、前記扉体が上昇して開いた状態から前記ハンドルを回転させて前記扉体が下降して閉じた状態になるまでの間は前記支持部材に当接し、前記扉体が閉じた状態から更に前記ハンドルを回転させて当該ハンドルの下端が前記支持部材から離隔した状態では前記支持部材から上方に離隔している、吊下げ部材と、を備える。
【０００７】
ハンドルを回転させて扉体を下降させる途中の状態では、扉体の荷重は軸体及びハンドルを介して支持部材で支持される。この状態では、吊下げ部材は支持部材に当接している。扉体が下端まで下降して閉状態になった状態においても、吊下げ部材は支持部材に当接する。しかし、ハンドルを更に回転させて支持部材から上昇して離隔される状態では、吊下げ部材が支持部材から離隔する。即ち、吊下げ部材が支持部材から離隔していれば、扉体が閉状態となっているため、吊下げ部材の視認によって扉体が閉状態であることが容易に認識することができる。
【０００８】
取水ゲートの望ましい態様として、前記軸体の外周には、前記扉体の閉状態において少なくとも一部が露出される表示が形成されている。
【０００９】
ハンドルを回転させて扉体を下降させている途中の状態では、表示がハンドルに隠れて視認しにくい場合がある。ハンドルを更に回転させて扉体が閉状態となるとき、表示の少なくとも一部が露出されるため、扉体が閉状態となっていることが容易に視認することができる。
【００１０】
取水ゲートの望ましい態様として、前記表示は、塗装である。
【００１１】
これによれば、塗装は、軸体の外周に容易に施すことができるため、簡単な作業で表示を設けることができる。
【００１２】
取水ゲートの望ましい態様として、前記吊下げ部材は、変形可能である。
【００１３】
これによれば、ハンドルを回転させる際に、吊下げ部材が支持部材に当たった場合でも、吊下げ部材の損傷を抑制することができる。
【発明の効果】
【００１４】
本発明によれば、吊下げ部材によって、扉体が全閉状態となったことが容易に視認することができる。
【図面の簡単な説明】
【００１５】
【図１】図１は、本発明の実施形態に係る取水ゲートの模式図であり、扉体を下降して閉じている途中の状態を示す。
【図２】図２は、本発明の実施形態に係る取水ゲートの模式図であり、扉体が閉じた状態を示す。
【図３】図３は、本発明の実施形態に係る取水ゲートの模式図であり、扉体を閉じた後にハンドルを更に回転させて上昇している状態を示す。
【発明を実施するための形態】
【００１６】
以下に、本発明の実施の形態について、図面を参照しつつ説明する。なお、開示はあくまで一例にすぎず、当業者において、発明の主旨を保っての適宜変更について容易に想到し得るものについては、当然に本発明の範囲に含有されるものである。
【００１７】
また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１８】
図１は、本発明の実施形態に係る取水ゲートの模式図であり、扉体を下降して閉じている途中の状態を示す。図１に示すように、本実施形態に係る取水ゲート１は、扉体１０と、軸体２０と、ハンドル３０と、支持部材４０と、吊下げ部材５０と、を備える。
【００１９】
扉体１０は、上下方向に移動して水路１１を開閉可能である。水路１１は、農業用水路及びダム貯水池などの水１２が流れる流路である。図１のように、扉体１０が上昇して開状態となると水路１１に水１２が流れる。扉体１０が下端の位置まで下降して閉状態となると、水路１１の水１２が堰き止められる。扉体１０は、矩形状の板状部材である。
【００２０】
軸体２０は、扉体１０の上端１０ａから上方に向けて延びている。即ち、軸体２０の中心軸ＡＸは、上下方向に沿って延びている。軸体２０の下端２０ｂは、扉体１０の幅方向の中央部の上端１０ａに固定される。軸体２０の外周には、上下方向の全長に亘って雄ねじ部２０ａが設けられる。軸体２０の外周には、表示２１が施される。表示２１は、例えば塗装部分２２である。雄ねじ部２０ａの表面を粗く加工して塗装を施すことにより、塗装部分２２が剥がれにくくなっている。
【００２１】
ハンドル３０は、軸体２０の中心軸ＡＸ回りに回転可能である。ハンドル３０の径方向中央部には、貫通孔３１が設けられ、貫通孔３１の内周面には雌ねじ部３２が設けられている。雌ねじ部３２は、軸体２０の雄ねじ部２０ａと噛み合う。従って、ハンドル３０を回転させると、ハンドル３０は軸体２０の中心軸ＡＸの軸回り方向に回転すると共に当該回転によって中心軸ＡＸの軸線方向に直動する。
【００２２】
支持部材４０は、矩形状の枠体である。支持部材４０は、下部４１と、側部４２と、上部４３と、ハンドル受け部４４と、を有する。
【００２３】
下部４１は、幅方向に延びる。側部４２は、下部４１の幅方向の端部から上方に延びる。上部４３は、側部４２の上端から幅方向に延びる。ハンドル受け部４４は、上部４３の幅方向中央部の上面４３ａに設けられる。ハンドル受け部４４は、円環状の部位であり、径方向中央部に上下方向に貫通する貫通孔４５が設けられる。なお、ハンドル受け部４４の貫通孔４５に対応する上部４３の部位にも貫通孔４３ｂが設けられる。
【００２４】
このように、軸体２０は、上部４３の貫通孔４３ｂ及びハンドル受け部４４の貫通孔４５を貫通して上下方向に延びている。また、支持部材４０は、ハンドル３０を回転させて扉体１０を昇降させる際にハンドル３０に作用する扉体１０の荷重を支持可能である。即ち、ハンドル３０の径方向中央部の下端は、ハンドル受け部４４に当接する。ハンドル３０は、軸体２０と噛み合っているため、扉体１０の荷重は軸体２０及びハンドル３０を介してハンドル受け部４４に印加される。つまり、ハンドル３０には下向きの荷重が印加され、当該荷重はハンドル受け部４４を含む支持部材４０で支持される。
【００２５】
吊下げ部材５０は、ハンドル３０の外周端部から下方に延びる。吊下げ部材５０は、変形可能である。例えば、鎖状部材、及び、ひも状部材のように外部荷重が印加された場合に変形し、外部荷重が除去された場合に、変形が元に戻って上下方向に沿って直線状に延びる部材が適用可能である。
【００２６】
次いで、扉体１０を開閉させる手順を説明する。図２は、本発明の実施形態に係る取水ゲートの模式図であり、扉体が閉じた状態を示す。図３は、本発明の実施形態に係る取水ゲートの模式図であり、扉体を閉じた後にハンドルを更に回転させて上昇している状態を示す。
【００２７】
まず、図１に示すように、扉体１０が下降途中の状態では、軸体２０がハンドル３０に噛み合っているため、扉体１０及び軸体２０の荷重がハンドル３０に印加される。ハンドル３０は、ハンドル受け部４４の上端に支持される。従って、扉体１０及び軸体２０の荷重がハンドル３０及びハンドル受け部４４を介して支持部材４０に印加される。このように、扉体１０及び軸体２０の荷重が支持部材４０で支持される。このとき、軸体２０の塗装部分２２は、全ての部分が露出している。また、吊下げ部材５０の下端部５０ａは、支持部材４０の上部４３の上面４３ａに当接している。
【００２８】
そして、図１の矢印に示す方向にハンドル３０を回転させると、扉体１０は下降し、図２に示すように、扉体１０の下端１０ｂが支持部材４０の下部４１の上端に当接する。これによって、扉体１０が閉状態となる。このとき、軸体２０の塗装部分２２は、上端部２２ａのみ（一部）が露出している。また、吊下げ部材５０の下端部５０ａは、支持部材４０の上部４３の上面４３ａに当接している。
【００２９】
図３に示すように、ハンドル３０を更に回転させるとハンドル３０は軸体２０に沿って上昇し、ハンドル３０の径方向中央部の下端はハンドル受け部４４から上方に離隔する。このとき、軸体２０の塗装部分２２は、ハンドル３０で隠れていた部分（図２に示す）が露出している。また、吊下げ部材５０の下端部５０ａは、支持部材４０の上部４３の上面４３ａから上方に離隔している。
【００３０】
以上説明したように、本実施形態に係る取水ゲート１は、昇降して水路１１を開閉可能な扉体１０と、扉体１０から上方に延び、外周に雄ねじ部２０ａが形成された軸体２０と、軸体２０の雄ねじ部２０ａに噛み合う雌ねじ部が内周側に形成され、軸体２０の中心軸の軸回り方向に回転すると共に当該回転によって前記中心軸の軸線方向に直動するハンドル３０と、ハンドル３０を回転させて扉体１０を昇降させる際に、扉体１０の荷重が軸体２０を介して印加されるハンドル３０の下端に当接してハンドル３０を支持可能な支持部材４０と、ハンドル３０から吊り下げられ、扉体１０が上昇して開いた状態からハンドル３０を回転させて扉体１０が下降して閉じた状態になるまでの間は支持部材４０に当接し、扉体１０が閉じた状態から更にハンドル３０を回転させてハンドル３０の下端が支持部材４０から離隔した状態では支持部材４０から上方に離隔している、吊下げ部材５０と、を備える。
【００３１】
ハンドル３０を回転させて扉体１０を下降させる途中の状態では、扉体１０の荷重は軸体２０及びハンドル３０を介して支持部材４０で支持される。この状態では、吊下げ部材５０は支持部材４０に当接している。扉体１０が下端まで下降して閉状態になった状態においても、吊下げ部材５０は支持部材４０に当接する。しかし、ハンドル３０を更に回転させて支持部材４０から上昇して離隔される状態では、吊下げ部材５０が支持部材４０から離隔する。即ち、吊下げ部材５０が支持部材４０から離隔していれば、扉体１０が閉状態となっているため、吊下げ部材５０の視認によって扉体１０が閉状態であることが容易に認識することができる。
【００３２】
軸体２０の外周には、扉体１０の閉状態において少なくとも一部が露出される表示２１が形成されている。
【００３３】
これによれば、ハンドル３０を回転させて扉体１０を下降させている途中の状態では、表示２１がハンドル３０に隠れて視認しにくい場合がある。ハンドル３０を更に回転させて扉体１０が閉状態となるとき、表示２１の少なくとも一部が露出されるため、扉体１０が閉状態となっていることが容易に視認することができる。
【００３４】
表示２１は、塗装部分２２である。塗装部分２２は、軸体２０の外周に容易に施すことができるため、簡単な作業で表示２１を設けることができる。
【００３５】
吊下げ部材５０は、変形可能である。これによれば、ハンドル３０を回転させる際に、吊下げ部材５０が支持部材４０に当たった場合でも、吊下げ部材５０の損傷を抑制することができる。
【００３６】
なお、前記実施形態はあくまで一例であってこれに限られるものでなく、適宜変更可能である。
【００３７】
例えば、吊下げ部材５０をハンドル３０の外周部に設けたが、吊下げ部材５０はハンドル３０の内周部に設けてもよい。
【符号の説明】
【００３８】
１  取水ゲート
１０  扉体
１１  水路
２０  軸体
２０ａ  雄ねじ部
２１  表示
２２  塗装部分
３０  ハンドル
４０  支持部材
５０  吊下げ部材
【図１】
2020125665.tif 000003
【図２】
2020125665.tif 000004
【図３】
2020125665.tif 000005